(57)【要約】【課題】薄肉部品に粘着剤を適正な厚みで均一に効率良く付けることができる方法及びそれに使用するに好適な治具を提供する。【解決手段】離型紙の片面に粘着剤層３が形成されたシートの粘着剤層側の面に台紙フィルム４を貼着する工程と、離型紙及び粘着剤層３を所望の部品の形状に打ち抜く工程と、部品部分以外の離型紙及び粘着剤層を除去する工程と、部品部分の離型紙を除去する工程と、上記各工程を経て得られた台紙フィルム４の表面に部品の形状に粘着剤層３が付いたものの上に、部品の形状に貫通穴１２ａが形成された押えプレート１２を粘着剤層３と貫通穴１２ａとが重なるように被せ、しかる後、貫通穴１２ａの中に薄肉部品２を嵌め込んで粘着剤層３に押し付ける工程とを含む。【選択図】図１４
2005074752.tif 000002
【特許請求の範囲】
【請求項１】
離型紙の片面に粘着剤層が形成されたシートの粘着剤層側の面に台紙フィルムを貼着する工程と、離型紙及び粘着剤層を所望の部品の形状に打ち抜く工程と、部品部分以外の離型紙及び粘着剤層を除去する工程と、部品部分の離型紙を除去する工程と、上記各工程を経て得られた台紙フィルムの表面に部品の形状に粘着剤層が付いたものの上に、部品の形状に貫通穴が形成された押えプレートを粘着剤層と貫通穴とが重なるように被せ、しかる後、貫通穴の中に薄肉部品を嵌め込んで粘着剤層に押し付ける工程とを含むことを特徴とする薄肉部品への粘着剤付着方法。
【請求項２】
台紙フィルムの表面に部品の形状に粘着剤層が付いたものを粘着剤層側が上になるように載せる支持プレートと、部品の形状に貫通穴が形成され、前記支持プレートに載せられた粘着剤付き台紙フィルムの上に被せられる押えプレートとを備え、これら支持プレート及び押えプレートに、粘着剤層の位置と貫通穴の位置とが合致するように粘着剤付き台紙フィルムを位置決めする位置決め手段を設けたことを特徴とする治具。
【発明の詳細な説明】
【技術分野】
【０００１】
本発明は、片面に粘着剤が付いた薄肉部品を容易に製造するための薄肉部品への粘着剤付着方法及びそれに使用するに好適な治具に関する。
【背景技術】
【０００２】
携帯電話機やカメラの操作ボタン類、ディスプレイ枠等には、各種表示や装飾のための薄肉部品が貼り付けられている。従来は、それぞれの現場で薄肉部品の裏面に人手で粘着剤を塗布し、それを携帯電話機等の被貼着物に貼り付けていた。
【発明の開示】
【発明が解決しようとする課題】
【０００３】
上記従来の方法は、作業能率が悪いうえ、粘着剤の塗布むらが発生しやすく、被貼着物に貼り付けた場合に、接着不良が生じたり、粘着剤が薄肉部品からはみ出たりするという問題点があった。そこで本発明は、薄肉部品に粘着剤を適正な厚みで均一に効率良く付けることができる方法及びそれに使用するに好適な治具を提供することを課題としている。
【課題を解決するための手段】
【０００４】
本発明にかかる薄肉部品への粘着剤付着方法は、離型紙の片面に粘着剤層が形成されたシートの粘着剤層側の面に台紙フィルムを貼着する工程と、離型紙及び粘着剤層を所望の部品の形状に打ち抜く工程と、部品部分以外の離型紙及び粘着剤層を除去する工程と、部品部分の離型紙を除去する工程と、上記各工程を経て得られた台紙フィルムの表面に部品の形状に粘着剤層が付いたものの上に、部品の形状に貫通穴が形成された押えプレートを粘着剤層と貫通穴とが重なるように被せ、しかる後、貫通穴の中に薄肉部品を嵌め込んで粘着剤に押し付ける部品の形状に貫通穴が形成された押えプレートを粘着剤層と貫通穴とが重なるように被せ、しかる後、貫通穴の中に薄肉部品を嵌め込んで粘着剤層に押し付ける工程とを含むことを特徴としている。
【０００５】
また、本発明にかかる治具は、台紙フィルムの表面に部品の形状に粘着剤層が付いたものを粘着剤層側が上になるように載せる支持プレートと、部品の形状に貫通穴が形成され、前記支持プレートに載せられた粘着剤付き台紙フィルムの上に被せられる押えプレートとを備え、これら支持プレート及び押えプレートに、粘着剤層の位置と貫通穴の位置とが合致するように粘着剤付き台紙フィルムを位置決めする位置決め手段を設けたことを特徴としている。
【発明の効果】
【０００６】
本発明にかかる薄肉部品への粘着剤付着方法によれば、片面に適正な厚みで粘着剤が均一に付いた薄肉部品が得られるので、携帯電話機等の機器に薄肉部品を綺麗に良好に貼り付けることができるようになる。その薄肉部品に粘着剤を付着させる方法は、台紙フィルムの表面に部品の形状に適正厚みの粘着剤層が付いたものの上に押えプレートを被せ、その押えプレートの貫通穴に薄肉部品を上から嵌め込んで粘着剤に押し付けて、薄肉部品に粘着剤を付着させるものであるから、熟練した技術を必要とせず誰もが容易かつ効率的に作業することができる。
【０００７】
また、本発明にかかる治具を使用すると、上記作業の能率を向上させられる。
【発明を実施するための最良の形態】
【０００８】
図１及び図２に示す粘着剤付き薄肉部品を製造する場合を例にとって本発明を具体的に説明する。図における１は粘着剤付き薄肉部品、２は薄肉部品、３は粘着剤、４は台紙フィルム(セパ）である。
【実施例１】
【０００９】
まず、両面が平滑な離型面になった第一離型紙５の片面に均一厚みの粘着剤層３が形成された粘着シート６を成形する（図３）。当該粘着シート６はロール状に巻き取ることが可能である。
【００１０】
次いで、粘着シート６の粘着剤層３側の面に、片面だけが平滑な離型面になった第二離型紙７を該離型面が粘着剤層３に面するように貼る（図４）。その後、第一離型紙５を剥がす（図５）。このように、第一離型紙５から第二離型紙７に貼り替えることにより、第二離型紙７の離型面でない方が外面に面するようになり、以降の作業を行いやすくなる。
【００１１】
次いで、第一離型紙５を剥がしたあとに、台紙フィルム４を貼る（図６）。この台紙フィルム４はＰＥＴ製であり、離型紙５，７ほどの離型性は有しないが、粘着剤層３から簡単に引き剥がすことができる性質を有している。
【００１２】
そして、第二離型紙７、粘着剤層３、台紙フィルム４の３層状になったシートに、第二離型紙７側から粘着剤層３の深さまで、所定の部品の形状に型抜きする（図７）。それに引き続き、シートを所定の長さに裁断するとともに、位置決め用の孔を穿設する（図８）。
【００１３】
型抜き線に沿って、型以外の部分の第二離型紙７及び粘着剤層３を除去する（図９）。さらに、型部分の第二離型紙７を除去する（図１０）。これにより、台紙フィルム３の片面に粘着剤層３が部品の形状に付いた粘着剤付き台紙フィルム８が得られる。これを次工程へ移送する場合には、図１１に示すように、粘着剤層３の側に保護用の離型紙９を貼るとよい。
【００１４】
次工程で目的の薄肉部品２に粘着剤付き台紙フィルム８の粘着剤層３を付着させるのであるが、その工程では図１２に示す治具１０を用いる。この治具１０は、裁断された台紙フィルム４とほぼ同じ大きさの支持プレート１１と押えプレート１２とを蝶番１３で連結してなる。押えプレート１２には、薄肉部品１と同じ形状をした貫通穴１２ａ，…が開けられている。また、粘着剤付き台紙フィルム８の位置決め手段として、支持プレート１１の上面四隅に位置決め用の突起１１ａ，…が形成されているとともに、押えプレート１２の下面に前記突起１１ａ，…が嵌り込む凹部１２ｂ，…が形成されている。支持プレート１１及び押えプレート１２の材質は特に限定しないが、例えば支持プレート１１は不透明アクリル板、押えプレート１２は透明アクリル板が好適である。
【００１５】
治具１０は次のように使用する。すなわち、突起１１ａ，…に台紙フィルム４の位置決め孔４ａ，…を挿通させて位置決めした状態で、支持プレート１１の上に粘着剤付き台紙フィルム８を粘着剤層３が上になるように載せる（図１３）。次いで、その上から押えプレート１２を被せて、粘着剤付き台紙フィルム８を固定する（図１４）。そして、押えプレート１２の型穴１２ａに薄肉部品２を嵌め込み、上から指先で軽く押圧して粘着剤層３を薄肉部品２に付着させる（図１５）。治具１０を外せば、粘着剤付き薄肉部品１を台紙フィルム４に貼った製品が得られる（図１、図２参照）。
【００１６】
製品はそのままの状態で出荷される。そして、図１６に示すように、使用現場で台紙フィルム４から粘着剤付き薄肉部品１を剥がし、その粘着剤付き薄肉部品１を裏面側に付いている粘着剤２により被粘着物１３に貼り付ける。
【産業上の利用可能性】
【００１７】
電気製品、家庭用品等の広汎な用途に適用できる。
【図面の簡単な説明】
【００１８】
【図１】粘着剤付き薄肉部品を台紙フィルムに貼った製品を示す図である。
【図２】図１のＳ−Ｓ断面図である。
【図３】薄肉部品への粘着剤付着工程その１を示す断面図である。
【図４】薄肉部品への粘着剤付着工程その２を示す断面図である。
【図５】薄肉部品への粘着剤付着工程その３を示す断面図である。
【図６】薄肉部品への粘着剤付着工程その４を示す断面図である。
【図７】薄肉部品への粘着剤付着工程その５を示す断面図である。
【図８】薄肉部品への粘着剤付着工程その６を示す断面図である。
【図９】薄肉部品への粘着剤付着工程その７を示す断面図である。
【図１０】薄肉部品への粘着剤付着工程その８を示す断面図である。
【図１１】薄肉部品への粘着剤付着工程その９を示す断面図である。
【図１２】薄肉部品への粘着剤付着工程その１０の断面図である。
【図１３】薄肉部品への粘着剤付着工程その１１を示す断面図である。
【図１４】薄肉部品への粘着剤付着工程その１２を示す断面図である。
【図１５】粘着剤付き薄肉部品の使用方法を示す図である。
【図１６】治具の斜視図である。
【符号の説明】
【００１９】
１      粘着剤付き薄肉部品
２      薄肉部品
３      粘着剤
４      台紙フィルム
５      第一離型紙
７      第二離型紙
８      粘着剤付き台紙フィルム
１０    治具
１１    支持プレート
１１ａ  突起（位置決め手段）
１２    押えプレート
１２ａ  貫通穴
１２ｂ  凹部（位置決め手段）
【図１】
2005074752.tif 000003
【図２】
2005074752.tif 000004
【図３】
2005074752.tif 000005
【図４】
2005074752.tif 000006
【図５】
2005074752.tif 000007
【図６】
2005074752.tif 000008
【図７】
2005074752.tif 000009
【図８】
2005074752.tif 000010
【図９】
2005074752.tif 000011
【図１０】
2005074752.tif 000012
【図１１】
2005074752.tif 000013
【図１２】
2005074752.tif 000014
【図１３】
2005074752.tif 000015
【図１４】
2005074752.tif 000016
【図１５】
2005074752.tif 000017
【図１６】
2005074752.tif 000018